(57)【要約】【課題】顧客引渡し時間が近づいているオーダーがあれば、他のオーダーとプリント処理順番を変更して優先的にプリント処理可能なプリント処理システムを提供することである。【解決手段】オーダーのプリント処理の順番を、優先度やオーダー受付順序に基づいて設定し、各オーダーの仕上がり予想時間と顧客引渡し時間の設定を行うプリント処理システムであって、各オーダーのプリント開始予定時刻と仕上がり予想時間に基づいて、プリント処理状況を監視する監視手段５ｈと、プリント処理状況において、処理待ちのオーダーの中に顧客引渡し時間が近づいているオーダーが存在する場合に、顧客引渡し時間が近づいていることを警告表示する警告表示手段５ｉと、警告表示に、一定期間以内に応じない場合に、警告音を出力する警告音出力手段５ｊとをさらに備えている。【選択図】図２
2007114929.tif 000002
【特許請求の範囲】
【請求項１】
写真プリントを作成するための画像データを含むオーダーデータをオーダー単位で保存するオーダーデータ保存部と、
新規オーダーに係るオーダーデータをオーダーデータ保存部に登録・保存させる際に、オーダーのプリント処理の順番を、優先度やオーダー受付順序に基づいて設定するプリント順序設定部と、
各オーダーの仕上がり予想時間と顧客引渡し時間の設定を行う処理時間設定部と、を備えるプリント処理システムであって、
各オーダーのプリント開始予定時刻と仕上がり予想時間に基づいて、プリント処理状況を監視する監視手段と、
前記プリント処理状況において、処理待ちのオーダーの中に顧客引渡し時間が近づいているオーダーが存在する場合に、顧客引渡し時間が近づいていることを警告表示する警告表示手段と、を備えたプリント処理システム。
【請求項２】
前記警告表示に、一定期間以内に応じない場合に、警告音を出力する警告音出力手段をさらに備えていることを特徴とする請求項１に記載のプリント処理システム。
【請求項３】
前記警告音に応じない場合に、前記顧客引渡し時間に写真プリントを引き渡せるように、オーダーの処理順番を変更する処理順番変更部と、
前記顧客引渡し時間が近づいているオーダーに対するプリント処理を指令するプリント処理指令部と、
をさらに備えていることを特徴とする請求項２に記載のプリント処理システム。
【請求項４】
前記処理順番変更部は、
前記顧客引渡し時間からプリント処理時間を減算した時刻より前に、又は、当該時刻と同時に、自動的にオーダーの処理順番を変更することを特徴とする請求項３に記載のプリント処理システム。
【請求項５】
前記処理順番変更部は、
顧客引渡し時間が近づいているオーダーが、他のオーダーよりも優先度が高い場合に、当該他のオーダーより先にプリント処理されるように、オーダーの処理順番を変更することを特徴とする請求項３又は請求項４に記載のプリント処理システム。
【請求項６】
前記監視手段は、
前記警告音に応じない場合に、プリント処理中のオーダーを中断して、顧客引渡し時間が近づいているオーダーをプリント処理しても、当該中断されたオーダーがその顧客引渡し時間に間に合うか否かを判定し、
前記処理順番変更部は、
前記判定結果が、プリント処理中のオーダーを中断して、顧客引渡し時間が近づいているオーダーをプリント処理しても、当該中断されたオーダーがその顧客引渡し時間に間に合う場合に、当該プリント処理中のオーダーを中断し、当該顧客引渡し時間が近づいているオーダーをプリント処理するようにオーダーの処理順番を変更することを特徴とする請求項３に記載のプリント処理システム。
【請求項７】
前記プリント処理指令部は、
顧客引渡し時間が近づいているオーダーに対するプリント処理を指令した後に、前記中断されたオーダーのプリント処理を自動的に再開するように指令することを特徴とする請求項６に記載のプリント処理システム。
【発明の詳細な説明】
【技術分野】
【０００１】
本発明は、写真プリントを作成するための画像データを含むオーダーデータをオーダーの処理順番に従って管理しているプリント処理システムであって、より詳細には、顧客引渡し時間が近づいているオーダーがあれば、他のオーダーとプリント処理順番を変更して優先的にプリント処理可能なプリント処理システムに関するものである。
【背景技術】
【０００２】
写真プリントを作成するプリント処理システムにおいては、適宜の画像形成媒体から画像データを取得し、オーダー単位でオーダーデータ保存部に一旦保存される。ここで、１オーダーとは、ネガフィルム１本に含まれる画像データ、記録メディア１個に格納される画像データのことを指す。プリント処理の注文が多い場合は、オーダーデータ保存部に多数のオーダーが登録され、設定されたプリント順序に従い登録されたオーダーについてプリント処理が行なわれていく。
【０００３】
ここで設定されたプリント順序とは、通常はオーダーを受け付けた順序であり、早く受け付けたオーダーほど早くプリント処理が行われるように設定される。また、プリント処理の仕上がり納期に関して、顧客から指定されることもあり、登録されるオーダーの順番はオーダーの受付順序だけではなく、仕上がりの優先度も考慮して設定する必要がある。例えば、「特急仕上げ」（高優先度オーダー）と「通常仕上げ」（低優先度オーダー）があるとすれば、高優先度のオーダーを低優先度のオーダーに優先してプリント処理を行なう。すなわち、低優先度オーダーが登録されているところに、高優先度オーダーを割り込みさせる形でプリント処理を行なう。
【０００４】
このプリント処理システムは、登録されたオーダーを自動的にプリント処理開始する自動プリント開始モードと、登録されたオーダーを表示するオーダー管理画面のスタートボタンを押下したときのみにプリント処理順番にしたがってオーダー単位にプリント処理を開始する手動開始モードとが設定可能になっている。
【発明の開示】
【発明が解決しようとする課題】
【０００５】
上述のプリント処理システムでは、オーダーが登録されていても、手動開始モードの場合には、自動的にプリント処理が開始されないため、オペレータがスタートボタンを押下せずに放置していると、顧客引渡し時間に間に合わないオーダーが発生することになり問題である。
【０００６】
また、予め、優先度を設定してオーダー登録できるが、最優先の注文依頼を受けることもあり、このような際には、店舗のオペレータが、最優先のオーダーを、すでに登録されたオーダーの処理順番を無視して、手動で割り込ませるようにして、プリント処理させることが可能である。この場合、割り込み処理されたことにより、処理待ちの他のオーダー中に、顧客引渡し時間にプリント処理が終了しないオーダーが発生する場合がある。
【０００７】
また、新規オーダーは、通常は、受付順番に登録され（つまり最後尾に登録され）るが、上述したように仕上がり優先度を考慮して登録すれば、既に登録されたオーダーの顧客引渡し時間に影響がないように割り込ませた形で登録されることになる。しかし、優先度を高く設定していても、オーダー登録に際しては、処理待ちのオーダー内でのみ処理順番を設定していたため、すでにプリント処理中のオーダーが考慮されることはなかった。つまり、このプリント処理中のオーダーのプリント処理時間が長時間必要である場合には、新規オーダーが高優先度であっても、顧客引渡し時間に顧客に引き渡せないという問題がある。
【０００８】
本発明は上記実情に鑑みてなされたものであり、その課題は、顧客引渡し時間が近づいているオーダーがあれば、他のオーダーとプリント処理順番を変更して優先的にプリント処理可能なプリント処理システムを提供することである。
【課題を解決するための手段】
【０００９】
上記課題を解決するため本発明に係るプリント処理システムは、
写真プリントを作成するための画像データを含むオーダーデータをオーダー単位で保存するオーダーデータ保存部と、
新規オーダーに係るオーダーデータをオーダーデータ保存部に登録・保存させる際に、オーダーのプリント処理の順番を、優先度やオーダー受付順序に基づいて設定するプリント順序設定部と、
各オーダーの仕上がり予想時間と顧客引渡し時間の設定を行う処理時間設定部と、を備えるプリント処理システムであって、
各オーダーのプリント開始予定時刻と仕上がり予想時間に基づいて、プリント処理状況を監視する監視手段と、
プリント処理状況において、処理待ちのオーダーの中に顧客引渡し時間が近づいているオーダーが存在する場合に、顧客引渡し時間が近づいていることを警告表示する警告表示手段と、を備えていることを特徴とする。
さらに、警告表示手段による警告表示に、一定期間以内に応じない場合に、警告音を出力する警告音出力手段をさらに備えていることは、好ましい。
【００１０】
かかるプリント処理システムの作用・効果を説明する。オーダーデータ保存部には、オーダーデータがオーダー単位で保存される。ここで、オーダーデータには少なくとも画像データが含まれる。また、プリント処理の優先度をオーダーごとに設定することができる。優先度とは、仕上がり納期に関するものであり「特急仕上げ」「通常仕上げ」などである。新規オーダーをオーダーデータ保存部に登録する場合には、プリント順序設定部によりプリント順序が設定され、優先度やオーダー受付順序に基づいて順番が設定される。例えば、早く受け付けたものほど早くプリント処理され、高優先度オーダーは低優先度オーダーに優先して順序が設定される。すなわち、プリント処理の対象となる画像データは、オーダーデータ保存部に保存された後、プリント処理が行われることになるため、オーダーデータ保存部にデータが保存できないとプリント処理を行うことができない仕組みとなっている。
【００１１】
また、処理時間設定部を備えており、各オーダーについて仕上がり予想時間と顧客引渡し時間の設定を行なうことができる。仕上がり予想時間とは、写真プリント作成が完了する時間のことであり、顧客引渡し時間とは顧客に仕上がりの写真プリントを渡すことができる時間のことである。従って、納期を遵守するためには、仕上がり予想時間は顧客引渡し時間内に収まるようにしなければならない。高優先度オーダーを新規に登録しようとするときは、既に登録済みの低優先度オーダーよりも優先してプリント処理ができるようにプリント順序が設定されることになるが、この場合、割り込まれたオーダーの仕上がり予想時間は遅れることになる。
【００１２】
また、監視手段は、各オーダーのプリント開始予定時刻と仕上がり予想時間に基づいて、オーダーの登録された内容（仕上がり予想時間、顧客引渡し時間）に従って予定どうりにプリント処理されるかを判定し、プリント処理状況を監視する。
【００１３】
そして、警告表示手段は、プリント処理状況において、処理待ちのオーダーの中に顧客引渡し時間が近づいているオーダーが存在する場合に、顧客引渡し時間が近づいていることをモニターに警告表示する。例えば、手動開始モードにおいては、オペレータが、スタートボタンを押下しないとプリント処理が開始されないため、顧客引渡し時間が近づいているオーダーが生じることになる。また、急ぎのオーダーを受けつけ、手動で割り込み処理を行った場合にも、顧客引渡し時間が近づき顧客引渡し時間に間に合わないオーダーが発生することになる。
【００１４】
そして、警告音出力手段は、警告表示に、一定期間以内に応じない場合に、警告音を出力する。「一定期間」は、任意の値であるが、例えば、３分、５分等である。
【００１５】
かかる構成により、オペレータは、顧客引渡し時間が近づいているオーダー、すなわち、納期を遵守できなくなるようなオーダーの存在を事前に知ることができ、オペレータは、プリントスタートを指示することで、納期に間に合うようにプリント処理を実行することができる。
【００１６】
また、本発明において、警告音に応じない場合に、顧客引渡し時間に写真プリントを引き渡せるように、オーダーの処理順番を変更する処理順番変更部と、
顧客引渡し時間が近づいているオーダーに対するプリント処理を指令するプリント処理指令部と、をさらに備えていることは好ましい実施態様である。
【００１７】
この構成によれば、処理順番変更部は、警告音に応じない場合に、顧客引渡し時間に写真プリントを引き渡せるように、オーダーの処理順番を変更する。
【００１８】
そして、プリント処理指令部は、顧客引渡し時間が近づいているオーダーに対するプリント処理を指令する。そして、当該指令に従って、当該顧客引渡し時間が近づいているオーダーがプリント処理される。
【００１９】
これにより、顧客引渡し時間が近づいているオーダーがあれば、他のオーダーとプリント処理順番を変更して優先的にプリント処理可能なプリント処理システムを提供することができる。
【００２０】
本発明において、処理順番変更部が、顧客引渡し時間からプリント処理時間を減算した時刻より前に、又は同時に、自動的にオーダーの処理順番を変更することは好ましい実施態様である。
【００２１】
この構成によれば、処理順番変更部が、顧客引渡し時間からプリント処理時間を減算した時刻より前に、又は同時に、自動的にオーダーの処理順番を変更するので、顧客引渡し時間に間に合うようにプリント処理できる。
【００２２】
本発明において、処理順番変更部が、顧客引渡し時間が近づいているオーダーが、他のオーダーよりも優先度が高い場合に、当該他のオーダーより先にプリント処理されるように、オーダーの処理順番を変更することは好ましい他の実施態様である。
【００２３】
この構成によれば、処理順番変更部が、顧客引渡し時間が近づいているオーダーが、他のオーダーよりも優先度が高い場合に、当該他のオーダーより先にプリント処理されるように、オーダーの処理順番を変更するので、他のオーダーの優先度及び顧客引渡し時間を遵守することができる。
【００２４】
本発明において、監視手段は、警告音に応じない場合に、プリント処理中のオーダーを中断して、顧客引渡し時間が近づいているオーダーをプリント処理しても、当該中断されたオーダーがその顧客引渡し時間に間に合うか否かを判定し、
処理順番変更部は、プリント処理中のオーダーを中断して、顧客引渡し時間が近づいているオーダーをプリント処理しても、当該中断されたオーダーがその顧客引渡し時間に間に合う場合に、当該プリント処理中のオーダーを中断し、当該顧客引渡し時間が近づいているオーダーをプリント処理するようにオーダーの処理順番を変更することは好ましい実施態様である。
さらに、プリント処理指令部は、顧客引渡し時間が近づいているオーダーに対するプリント処理を指令した後に、前記中断されたオーダーのプリント処理を自動的に再開するように指令することは好ましい。
【００２５】
この構成によれば、プリント処理を中断しても顧客引渡し時間に間に合うプリント処理中のオーダーを中断し、顧客引渡し時間が近づいているオーダーを先にプリント処理できる。そして、客引渡し時間が近づいているオーダーを先にプリント処理させた後に、中断されたオーダーのプリント処理を自動的に再開できるので、中断されたオーダーに対してのプリント処理再開を別途行わなくてもよく、中断されたオーダーがそのまま放置されている状態を回避できる。
【発明を実施するための最良の形態】
【００２６】
本発明に係る写真処理システムの好適な実施形態を図面を用いて説明する。図１は、システム全体の構成を示す模式図である。
【００２７】
＜システムの全体構成＞
図１において、写真処理装置１００は、取得されたデジタルの画像データに基づいて、写真プリントを作成する機能を有する。画像データは、写真処理装置１００に設けられるフィルムスキャナーから取得される現像済みネガフィルムのコマ画像の画像データや、ネットワーク経由で送信されてくる画像データなどがあげられる。
【００２８】
受付端末２０は、店頭に設置され、デジタルカメラの記録メディアやその他の記録メディアに格納された画像データを受け付けることができる。記録メディアの種類としては、コンパクトフラッシュ（登録商標）、スマートメディア（登録商標）、メモリスティック（登録商標）、ＣＤ−Ｒ、ＤＶＤ−Ｒなどが例としてあげられる。受付端末２０は、主として顧客により操作されるものであり、顧客が自分で持参した記録メディアを挿入し、プリント処理の対象となる画像データの選択、プリント枚数、プリントサイズの設定などを行うことができる。もちろん、店員が受付端末２０を操作するようにしてもよい。
【００２９】
記録装置４０は、写真処理装置１００が取得した画像データをＣＤ−Ｒ、ＤＶＤ−Ｒ等の記録メディアに書き込む機能を有する。ネット受付端末５０（パソコンにより構成）は、インターネット経由でのプリント注文に係る画像データを受け付ける機能を有する。写真処理装置１００、受付端末２０、記録装置４０、ネット受付端末５０は、ネットワーク（例えば、ＬＡＮ）により接続されている。また、写真処理装置１００、受付端末２０、記録装置４０、ネット受付端末５０の設置台数は１台に限定されるものではなく、必要に応じて複数台を設置することができる。
【００３０】
インターネット上に設置されるサーバー６０は、オンラインでのプリント注文を受け付ける機能を提供する。プリント注文を行なう場合は、インターネットに接続されるパソコン７０から、プリント処理に係る画像データをアップロードすると、サーバー６０に画像データが保存される。ネット受付端末５０から、当該画像データをサーバー６０からダウンロードすることで、プリント処理を行なうことができる。オンラインでプリント処理を受け付けるシステムについては、公知のシステムを利用することができる。
【００３１】
＜写真処理システムの機能ブロック構成＞
図２は、写真処理システムの中心をなす写真処理装置１００の機能を示すブロック図である。フィルムスキャナー１は、現像済みネガフィルム（写真フィルム）に形成されているコマ画像をスキャニングしてデジタルの画像データを取得する。画像取得部２は、主としてネットワーク経由で送信されてくる画像データを取得する。ネットワークを介して通信を行なうために通信制御部３が設けられる。画像取得部２が取得する画像データは、デジタルカメラの記録メディアに格納されていた画像データや、インターネットサーバー６０に保存されていた画像データである。なお、写真処理装置１００自身に記録メディアを装着することができるようにし、直接記録メディアから画像データを取得できるように構成してもよい。
【００３２】
＜画像判定部の構成＞
画像判定部４は、取得した画像データに対する判定をオペレータが行なうための機能を提供し、かかる機能は主としてソフトウェアにより提供される。これは、画像データに基づいて写真プリントを作成する前に、適切な画質の写真プリントが作成されるか否かを判定するものであり、かかる作業をプレジャッジと称することとする。画像判定部４には、補正データ設定部４ａ、プリントデータ設定部４ｂ、サムネイル画像作成部４ｃが主たる機能として設けられている。なお、プレジャッジは必ず行なわなければならないものではなく、プレジャッジを省略してプリント処理を行うことも可能である。
【００３３】
補正データ設定部４ａは、色や濃度を補正するための補正データを入力する機能を提供するものであり、かかる補正データの入力は必要に応じて設定される。その他の補正データの設定としては、赤目補正、逆光補正などの特殊補正の設定が例としてあげられる。
【００３４】
プリント枚数の設定としては、フィルムスキャナー１から取得した画像データに関してはデフォルトで１が設定されているが、オペレータの入力操作により変更することができる。また、ネットワーク経由で取得した画像データについては、顧客により注文にかかるプリント枚数が既に設定されているため、オペレータにより設定変更できないようにすることが好ましい。このプリント枚数の設定データは、プリントデータに含まれるものであり、プリントデータ設定部４ｂの機能により提供される。プリントデータには、プリント枚数の他にプリントサイズ、ペーパー面質（光沢面や絹目など）、縁有りプリントか否かについても含まれるものとする。
【００３５】
プレジャッジ画面に表示されるコマ画像は、サムネイル画像であり、取得した画像データを縮小処理することで得られるものである。画像取得部２が取得した画像データの場合は、取得したオリジナルの画像データに基づいてサムネイル画像を作成することができる。フィルムスキャナー１からネガフィルムの画像データを取得する場合は、ネガフィルムをプレスキャンした画像データに基づいて、サムネイル画像を作成することができる。サムネイル画像の作成は、サムネイル画像作成部４ｃの機能による。
【００３６】
＜オーダー制御部の構成＞
オーダー制御部５は、プリント処理すべき画像データをオーダー単位に管理する機能を提供する。ここで１オーダーとは、フィルム１本分あるいは記録メディア１個分についてのプリント注文に係る画像データ群を指すものであるが、これに限定されるものではなく、１オーダーの概念はオペレータにより適宜設定することができる。
【００３７】
オーダー登録部５ａは、画像判定部４によりプレジャッジの終了したオーダーデータを記憶装置６に登録・保存する機能を有する。記憶装置６は概念的に、スプーラ６ａ（オーダーデータ保存部に相当）と呼ばれる部分と、その他の記憶部６ｂとで構成される。プリント処理すべきオーダーデータは、すべてスプーラ６ａに保存される。従って、スプーラ６ａにオーダーデータを保存することでオーダーの管理を行なうことができ、プリント処理の順番や割り込みなどの制御を行なうことができる。スプーラ６ａと、記憶部６ｂは、いずれもハードディスクのような大容量記憶装置により構成することができるが、スプーラ６ａと記憶部６ｂは、ハードウェア的に別々のハードディスクにより構成してもよいし、１つのハードディスクの記憶領域を分割して、スプーラ６ａとして機能する領域と、それ以外の領域を形成してもよい。
【００３８】
なお、オーダーデータとは１オーダー分のデータのことを指すが、１オーダーに含まれる画像データ群と、プレジャッジにより設定された補正データやプリント枚数などのプリントデータ、オーダーを特定するデータ（オーダー識別ＩＤ、顧客の氏名、住所、会員ＩＤなどのデータ）により構成される。なお、ネガフィルムから取得した画像データの場合には、本スキャンの画像データのみならずプレスキャンの画像データも合わせてオーダーデータとして保存しておくことが好ましい。
【００３９】
プリント処理制御部５ｂは、プリント処理の対象となるオーダーのオーダーデータをプリント処理するように指令を与える。図３は、オーダー管理画面の構成例を示す図であり、処理待ちオーダーのリストと、完了済みオーダーのリストが表示されている。処理待ちオーダーのリストには、基本的にはプリント処理が行なわれる順番にオーダーのリストが表示されている。状態表示欄には、オーダーの処理状態が示されており、１番上のオーダーがプリント処理中であること、その他のオーダーについてはプリント処理待ちの状態であることが示されている。プリント処理が完了すると、完了済みオーダーの表示欄へと移行し、状態表示もプリント処理完了に変わる。
【００４０】
オーダーデータ削除部５ｃは、プリント処理が完了したオーダーデータをスプーラ６ａから削除する。これにより、スプーラ６ａの保存容量を確保できるようにする。データを削除する場合、スプーラ６ａのオーダーデータを完全に削除するようにしても良いし、後日の焼き増し処理の依頼に備えて、記憶部６ｂやその他の外部記憶装置にオーダーデータを移動するようにしてもよい。
【００４１】
優先度設定部５ｄは、登録しようとする新規オーダーの優先度を設定する。優先度として「特急仕上げ」「通常仕上げ」「ゆっくり仕上げ」の３段階があり、「特急仕上げ」は高優先度に相当し、「通常仕上げ」「ゆっくり仕上げ」は低優先度に相当する。優先度の設定は、この３段階でなくてもよく、例えば、「特急仕上げ」「通常仕上げ」の２段階でもよく、４段階以上に増やしてもよい。優先度の設定方法としては、例えば、モニター画面の新規オーダー登録ボタンをクリックすると、優先度選択画面がポップアップし、表示されているいずれかの優先度を選択させるようにすることができる。図３には、優先度を表示するため、Ａ，Ｂ，Ｃの符号が各オーダーについて表示されており、夫々「特急仕上げ」「通常仕上げ」「ゆっくり仕上げ」を示している。
【００４２】
プリント順序設定部５ｅは、オーダーデータをスプーラ６ａに登録するに際して、オーダーのプリント順序を優先度や受付順序に基づいて設定する。基本的には、受付順序が早いほど先にプリント処理がされる。図３に示す管理画面において、処理待ちオーダーのリストは、プリント処理がされる順番にオーダーがリスト表示されている。すなわち、一番上のオーダーが現在プリント処理中のオーダーであり、以下順番に繰り上がってプリント処理が行なわれていく。また、高優先度である「特急仕上げ」オーダーを登録する場合は、基本的には低優先度の「通常仕上げ」や「ゆっくり仕上げ」のオーダーよりも優先してプリント処理を行なうため、高優先度オーダーは既に登録済みの低優先度オーダーに割り込む形でプリント順序を設定する。高優先度の別オーダーが既に登録されている状態であれば、その登録済みオーダーの次に新規のオーダーをプリント処理できるようにプリント順序を設定する。
【００４３】
手動順序設定部５ｆは、プリント順序設定部５ｅにより設定されたプリント順序をオペレータの手動操作により変更を可能にするための機能である。例えば、図３に示すように、順番を変更したいオーダーを選択する。そして、マウスのドラッグ＆ドロップ操作により、変更したい位置に選択したオーダーを移動させることができる。このように、プリント順序設定部５ｅは、予め決められたルールに従い、自動的にプリント順序を設定するものであるが、手動順序設定部５ｆを設けることで、任意にプリント順序を変更することができる。
【００４４】
処理時間設定部５ｇは、各オーダーの仕上がり予想時間と顧客引渡し時間を設定する機能を有する。仕上がり予想時間とは、写真プリントの仕上がり予定時間のことであり、顧客引渡し時間については、商品としての写真プリントを顧客に引き渡すことが可能な時間である。納期を遵守するためには、仕上がり予想時間は顧客引渡し時間内に収まるように処理をする必要がある。これらの処理時間の演算方法については後述する。
【００４５】
監視手段５ｈは、各オーダーのプリント開始予定時刻と仕上がり予想時間に基づいて、プリント処理状況を監視する。例えば、監視手段５ｈは、各オーダー毎に、プリント開始予定時刻にプリントが開始されたか否かを判定する。また、仕上がり予想時間以内にプリント処理が終了したか否かを判定する。また、顧客引渡し時間以内にプリント処理が終了するか否かを判定する。また、記監視手段５ｈは、警告音に応じない場合に、プリント処理中のオーダーを中断して、顧客引渡し時間が近づいているオーダーをプリント処理しても、当該中断されたオーダーがその顧客引渡し時間に間に合うか否かを判定する。
【００４６】
警告表示手段５ｉは、監視手段５ｈの監視しているプリント処理状況において、処理待ちのオーダーの中に顧客引渡し時間が近づいているオーダーが存在する場合に、顧客引渡し時間が近づいていることを後述のモニター７に警告表示する。「顧客引渡し時間が近づいていること」として、例えば、「受付ナンバー○○は、顧客引渡し時間が近づいています。プリント処理をスタートさせてください。」、「受付ナンバー○○は、プリント開始予定時刻にプリント処理が開始されていません。プリント処理をスタートさせてください。」、又は、「受付ナンバー○○は、仕上がり予想時間が顧客引渡し時間を越える可能性があります。注意してください。」等をモニター７に表示させる。これらの警告表示のデータは、予めＲＯＭ等のメモリに格納されており、警告表示手段５ｉが、警告表示のデータをメモリから読み出し、かかるデータをモニター７に表示させる。
【００４７】
警告音出力手段５ｊは、警告表示した後、一定期間以内に応じない場合に、警告音を出力する。警告音出力手段５ｊは、例えば、警告表示してから３分以内に、プリントスタート指示がなされていなければ、警告音として、ブザー音、音、音楽、音声等を出力するように構成されている。警告音は、オペレータが適宜選択可能に構成され、初期値としてブザー音が出力される。警告音は予めＲＯＭ等のメモリに格納されており、警告音出力手段５ｊが、警告音をメモリから読み出し、かかる警告音をスピーカー（不図示）に出力させる。
【００４８】
処理順番変更部５ｋは、オペレータが警告音に応じない場合に、顧客引渡し時間に写真プリントを引き渡せるように、オーダーの処理順番を変更する。かかる場合に、処理順番変更部５ｋが、顧客引渡し時間からプリント処理時間を減算した時刻より前に、又は同時に、自動的にオーダーの処理順番を変更することは好ましい。また、処理順番変更部５ｋが、顧客引渡し時間が近づいているオーダーが、他のオーダーよりも優先度が高い場合に、当該他のオーダーより先にプリント処理されるように、オーダーの処理順番を変更することは好ましい。そして、プリント処理指令部５ｍは、顧客引渡し時間が近づいているオーダーに対するプリント処理の指令を行い、プリント処理される。ここで、プリント処理されるオーダーは、顧客引渡し時間が近づいているオーダーのみであり、その他のオーダーに対しては、プリント処理が実行されないように構成されている。
【００４９】
また、処理順番変更部５ｋは、プリント処理中のオーダーを中断して、顧客引渡し時間が近づいているオーダーをプリント処理しても、当該中断されたオーダーがその顧客引渡し時間に間に合う場合に、当該プリント処理中のオーダーを中断し、当該顧客引渡し時間が近づいているオーダーをプリント処理するようにオーダーの処理順番を変更する。そして、かかる場合に、プリント処理指令部５ｍは、顧客引渡し時間が近づいているオーダーに対するプリント処理を指令した後に、中断されたオーダーのプリント処理を自動的に再開するように後述の画像処理基板９、プリント処理部に指令する。
【００５０】
オーダー制御部５の各機能モジュールは、通常、ソフトウェアで構成され、ＣＰＵ、メモリ等のハードウェア資源と協働して動作するものであるが、専用回路、ファームウエア等を組み合わせて構成してもよい。当該ソフトウエアプログラムは、ＲＯＭ等のメモリに予め格納されている。
【００５１】
図２に戻り、モニター７は、プレジャッジを行なうための画面やオーダー管理画面等を表示させるものであり、プリント処理等を行うために必要な画面を提供する。入力操作部８は、キーボードやマウス等により構成され、プリント処理に必要なデータ入力や設定、各種指令を行う。
【００５２】
画像処理基板９は、スプーラ６ａから画像データと補正データを受け取り、補正データに基づいて画像データに対する画像処理を行い、写真プリントを作成するために用いられるプリント用画像データを生成する。画像処理基板９は、入力メモリ、処理回路部、展開メモリにより構成され、処理回路部において指定された画像処理が行なわれる。具体的には、補正データに基づく色・濃度の補正、設定されたプリントサイズに従ったデータの拡縮処理などである。
【００５３】
次に、図２においてプリント処理部の構成を簡単に説明する。ペーパーマガジン１０には、写真感光材料であるペーパーがロール状に収容されている。ペーパーマガジン１０は、２台を設置することができ、例えば、ペーパー幅の異なるペーパーを予めセットしておくことができる。ペーパーカッター１１は、ペーパーマガジン１０から引き出された長尺状のペーパーを設定されたプリントサイズになるように切断する。
【００５４】
露光エンジン１２は、画像処理基板９の展開メモリから送信されてくるプリント用画像データを受け取り、このプリント用画像データに基づいて、ペーパーの乳剤面に画像を焼付露光する。露光エンジン１２としては、特定の方式のものに限定されるものではなく、例えば、レーザーエンジン、ＣＲＴエンジン、ＰＬＺＴエンジンなどを用いることができる。
【００５５】
現像処理部１３は、画像が焼付露光されたペーパーの現像処理を行い、乾燥処理部１４は、現像処理されたペーパーの乾燥処理を行なう。ペーパー排出部１５から仕上がりの写真プリントが装置本体外部に排出され、所定の集積装置によりオーダー単位で集積される。
【００５６】
ペーパーセンサー１６は、ペーパー排出部１５から排出されるペーパーを検出し、あるオーダーの写真プリントが全て排出されたか否かを検出する。センサー制御部１７は、ペーパーセンサー１６の駆動制御を行なうと共に、ペーパーセンサー１６からの信号を受信して解析する。オーダー制御部５のオーダーデータ削除部５ｃは、あるオーダーについての写真プリントが全て排出されたとセンサー制御部１７により検出された場合、そのオーダーについてのオーダーデータをスプーラ６ａから削除するようにする。
【００５７】
＜オーダー管理の設定画面＞
次に、オーダー制御部５によりオーダーの管理を行う場合の設定画面の一例を図４に示す。ネットオーダーモードの設定欄２５は、有効もしくは無効の設定を行うことができ、有効を選択することで受付端末２０からのオーダーを受け付けることができる。
【００５８】
データ保存設定欄２１では、オーダーデータを保存するスプーラ６ａに関する設定を行うことができる。ドライブ設定欄２１ａはスプーラ６ａを配置するドライブを指定することができる。一度指定したドライブを変更することもできる。スプーラ容量設定欄２１ｂには、スプーラ６ａとして使用する領域の要領を設定することができる。プリント処理をスムーズに行なうのに必要な容量（例えば、３ＧＢ）を設定することができる。残容量が少なくなってきた場合、この設定値を増やすことで対処することもできる。スプーラ使用容量表示欄２１ｃには、スプーラ６ａに保存されている全オーダーデータのデータ量を表示する。
【００５９】
リオーダー用保存容量設定欄２１ｄは、リオーダー用（焼き増し用など）に設定する保存容量を設定することができる。この保存容量は、スプーラ６ａとは別の記憶部６ｂに保存領域を確保することができる。これは、後日焼き増しプリントの依頼を受けた場合、リオーダー用に確保された領域からオーダーデータを読み出すことで、直ちにプリント処理を開始できるという利点がある。従って、フィルムスキャナー１による画像データの読み取り動作などが不要になり、効率よく作業を行うことができる。リオーダー用に確保されたオーダーデータは、所定期間保存され、所定期間が経過した後に削除される。完了済みオーダー保存容量表示欄２１ｅには、リオーダー用に保存されている全オーダーデータのデータ量が表示される。
【００６０】
ソート対象データ設定欄２２は、図３に示したオーダーリストを表示するソート順の基準について設定を行う欄である。通常は図３に例示するように「受付日時」が選択される。受付日時を選択した場合、オーダーリストには受け付け順に各オーダーが表示され、基本的に受け付け順にプリント処理が行われていく。基準として「マガジン」を選択することもでき、マガジンに対して付与されているマガジンコード順にソートされる。ただし、装置本体に装着可能なマガジンは２種類であるため、現在装着されているマガジンが上位にソートされる。
【００６１】
プリント処理開始のモード選択として、「プリントを自動的に開始する」チェックボックス２６が設けられている。これをチェックすると、登録されたオーダーが自動的にプリント処理される。一方、これをチェックしていなければ、オーダーが登録されていてもプリント処理が開始されないため、オペレータは、オーダー管理画面で、専用キーの「プリントスタート」ボタンを押下し、プリント処理を開始する必要がある。
【００６２】
仕上がり予定時間設定エリア２３は、仕上がり予想時間を演算するために必要なデータを設定入力する。このエリア２３は、オーダーの仕上がり時間を演算するために、写真プリント出力の予定時間等を設定するものであり、各写真店の事情に合わせて設定することができる。演算された仕上がり予想時間は、図３に示したリストに表示される。予想時間は、仕上がりの時刻で表示しても良いし、オーダーを受け付けてからオーダーが仕上がるまでに要する処理時間を表示してもよい。オーダーの受付時点とは、例えば、記録メディアを受付端末２０に装着して受付処理を完了した時点、プレジャッジ作業を開始した時点、スプーラ６ａに新規オーダーを登録した時点など適宜定義することができる。オーダーの仕上がり時点とは、１オーダー分の写真プリントが全て装置外部に排出された時点、集積装置に集積された時点など適宜定義することができる。このような定義は、写真店ごとに決めることができる。
【００６３】
エリア２３ａには、標準プリントサイズ（図例はＬ判）で２４コマ分プリントするのに要する時間を設定する。エリア２３ｂには、標準プリントサイズよりも大きな大サイズ（図例では６つ切）で１２コマ分プリントするのに要する時間を設定する。エリア２３ｃには、特大サイズ（長尺サイズ）で８コマ分プリントするのに要する時間を設定する。エリア２３ｄには、記録装置４０を利用してＣＤ−Ｒ１枚に画像データを書き込む時間を設定する。エリア２３ｅには、顧客に仕上がり写真プリントを渡すまでの時間を設定する。これは、オペレータが写真プリントをＤＰ袋に袋詰めする時間などを考慮して設定する。
【００６４】
余裕時間設定エリア２４には、余裕時間を優先度ごとに設定するものであり、優先度には「特急仕上げ」「通常仕上げ」「ゆっくり仕上げ」の３段階があるが、更に段階を増やしてもよい。このような優先度は顧客からの要望に基づいてオーダーごとに設定されるものである。余裕時間とは、ペーパーマガジン１０の交換に備えた予備時間、割り込みオーダーに備えた予備時間、トラブルに備えた予備時間などが含まれる。そして、各エリア２４ａ〜２４ｃには、各優先度が指定されたオーダーに対する余裕時間を設定することができ、優先度が低くなるほど余裕時間を大きく設定する。例えば、高優先度の場合に余裕時間を「１０分」に、中優先度の場合に余裕時間を「３０分」に、低優先度の場合に余裕時間を「８０分」にデフォルトで設定していても良い。
【００６５】
ここで、具体的な仕上がり予想時間の演算方法の一例を説明する。仕上がり予想時間については、
仕上がり予想時間＝待ち時間＋処理時間
により演算する。ここで、（処理時間＝プリント処理時間＋余裕時間）であり、「余裕時間」については、優先度の違いに応じて余裕時間設定エリア２４において設定した時間である。「プリント処理時間」については、仕上がり予定時間設定エリア２３にて設定したデータに基づいて演算することができ、プリント枚数とプリントサイズによって演算される。「待ち時間」とは、注目しているオーダーよりもプリント順序が早い全てのオーダーの処理時間の合計のことである。以上のように、仕上がり予想時間を各オーダーにつき求めることができる。
【００６６】
なお、仕上がり予想時間と比較される顧客引渡し時間については、各オーダーごとに入力されるものであり、例えば、新規オーダーを受け付けるときや、スプーラ６ａに登録するときに設定することができる。例えば、顧客引渡し時間は、「特急仕上げ」なら、仕上がり予想時間に１０分加算した時刻、「通常仕上げ」なら、仕上がり予想時間に３０分加算した時刻等を適宜設定できる。
【００６７】
＜具体的処理の手順＞
以下に、具体的処理手順について図５のフローチャートを用いて説明する。今、手動でプリントが開始されるモード（手動開始モード）に設定されているとする。そして、図３に示すように、オーダーが登録され、プリント処理待ち状態（状態が「プリント待ち」）である。受付ナンバー「２３」のオーダーの優先度が「Ａ」であり、これは高優先度の特急仕上げを意味している。そして、仕上がり予想時間（９：３０）から顧客引渡し時間（１０：００）までの期間（以下、「猶予期間」と呼ぶ。）として、例えば「１０分」が設定されている。また、受付ナンバー「２２」のオーダーの優先度が「Ｂ」であり、これは中優先度の通常仕上げを意味している。そして、猶予期間として、例えば「３０分」が設定されている。また、受付ナンバー「２４」のオーダーの優先度が「Ｃ」であり、これは低優先度のゆっくり仕上げを意味している。猶予期間として、例えば「６０分」が設定されている。なお、この猶予期間は、一律に例えば「１０分」とすることもできる。
【００６８】
今、オペレータが、専用キーのスタートボタンを押下せず放置している状態であるとする。図６に示したように、監視手段５ｈは、オーダー毎に、プリント開始予定時刻、プリント予想時間、顧客引渡し時間、優先度、猶予期間、余裕時間、プリント処理時間等を監視している。プリント開始予定時刻は、上記の処理時間（プリント処理時間＋余裕時間）分を仕上がり予想時間から減算した時刻である。例えば、受付ナンバー「２２」のオーダーの場合、プリント処理時間が「１０分」、優先度「Ｂ：通常仕上げ」なので余裕時間が「３０分」に設定され、処理時間は「４０分」となる。よって、仕上がり予想時間「９：３０」から「４０分」を減算して、プリント開始予定時刻「８：５０」が算出される。次の受付ナンバー「２３」のオーダーの場合、プリント開始予定時刻は、直前のオーダー（受付ナンバー「２２」）の仕上がり予想時間（９：３０）となる。以下同様に算出される。そして、監視手段５ｈは、現在時刻をシステムに内蔵のタイマーから取得し、各オーダー毎にプリント開始予定時刻に従ってプリント処理可能か否かを監視する（Ｓ１）。
【００６９】
まず、監視手段５ｈは、最初に処理待ちのオーダー（受付ナンバー「２２」）のプリント開始予定時刻にプリントが開始されているか否かを判定する。判定結果が、プリント開始されていない場合に、各オーダーの仕上がり予想時間が遅れ、それによって、仕上がり予想時間が顧客引渡し時間（時刻）に近づいているか否かを判定する（Ｓ２）。例えば、現在時刻が（８：５５）であり、この時刻（８：５５）からプリント処理が開始されると仮定した場合には、受付ナンバー「２２」のオーダーは、処理時間が（４０分）なので、仕上がり予想時間が（９：３５）に遅れ、猶予期間が「３０分」から「２５分」となる。一方、次の受付ナンバー「２３」のオーダーの場合、プリント開始予定時刻が（９：３５）に、そして仕上がり予想時間が（９：５５）に遅れ、猶予期間が「１０分」から「５分」となる。また、次の受付ナンバー「２４」のオーダーの場合、プリント開始予定時刻が（９：５５）に、そして仕上がり予想時間が（１１：２５）に遅れるが、顧客引渡し時間が（１２：２０）であるから猶予期間は「６０分」から「５５分」となり、いずれのオーダーも顧客引渡し時間に間に合う。以下、他の登録済みのオーダーに対しても同様に判定される。
【００７０】
しかし、現在時刻が（９：００）の場合には、受付ナンバー「２２」、「２３」、「２４」のオーダーの各々に対応する猶予期間は、それぞれ、「２０分」、「０分」、「５０分」となる。受付ナンバー「２３」のオーダーの場合、仕上がり予想時間と顧客引渡し時間が同一となる。
【００７１】
また、現在時刻が（９：０５）の場合には、受付ナンバー「２２」、「２４」のオーダーの各々に対応する猶予期間は、それぞれ、「１５分」、「４５分」となる。受付ナンバー「２３」のオーダーの場合、猶予期間がないが、余裕時間として「１０分」をもっているので、仕上がり予想時間は、（１０：０５）であるが、プリント処理終了予定時刻は、（９：５５）であり、「５分」の猶予で、顧客引渡し時間に間に合う。
【００７２】
ところが、現在時刻が（９：１０）の場合には、受付ナンバー「２３」のオーダーの場合、プリント処理終了予定時刻と、顧客引渡し時間（時刻）が同一になる。
【００７３】
そこで、監視手段５ｈは、各オーダーの猶予期間と余裕時間の合計値が８分以下であるか否かを判定するようにすることが好ましい（Ｓ２）。かかる場合に、８分以下であれば、警告表示手段５ｉが、モニター７のオーダー管理画面上に、警告情報を表示する（Ｓ３）。図７に、警告情報の一例を示す。なお、猶予期間のみが８分以下になるか否かを判定してもよい。
【００７４】
次いで、専用キーの「プリントスタート」キーが押下された否かを判定し（Ｓ４）、「プリントスタート」が押下された場合には、受付ナンバー「２２」のオーダーのプリント処理が実行される（Ｓ５）。そして、手動プリント開始モードであるため、次のオーダーに対してもプリントスタートキーを押下する必要がある。仮に、次のオーダー（受付ナンバー「２３」）に対してもプリントスタートキーを押下しなければ、監視手段５ｈによって上述のように判定され警告表示が再度なされることになる（Ｓ１、Ｓ２、Ｓ３）。
【００７５】
オペレータが警告表示に気づかずに、或いは単に放置していて、警告表示から例えば３分間以内に、「プリントスタート」キーが押下されたか否かを監視手段５ｈが判定し（Ｓ６）、警告表示から３分経過しても押下されていない場合には、警告音として、ブザー音が出力される（Ｓ７）。そして、図８に示したように、オーダー管理画面に、警告音が出力されていることを示す表示がなされる。この警告表示から３分間とは、言い換えれば、猶予期間と余裕時間の合計値（或いは、猶予期間のみを判定基準にした場合には猶予期間）が、５分ということである。そして、「プリントスタート」キーが押下された否かを監視手段５ｈが判定し（Ｓ８）、「プリントスタート」キーが押下された場合には、受付ナンバー「２２」のオーダーのプリント処理が実行される（Ｓ５）。そして、手動プリント開始モードであるため、次のオーダーに対しても「プリントスタート」キーを押下する必要がある。仮に、次のオーダー（受付ナンバー「２３」）に対しても「プリントスタート」キーを押下しなければ、監視手段５ｈによって上述のように判定され、警告表示がなされ、それに一定期間以内に応じなければブザー音が出力されるように構成される。
【００７６】
そして、オペレータがこのブザー音にも気づかずに、或いは単に放置した場合において、監視手段５ｈは、各オーダーごとに、現在時刻（９：１０）が、顧客引渡し時間からプリント処理時間を減算した時刻か否かを判定する（Ｓ９）。いずれかのオーダーにおいて、現在時刻が顧客引渡し時間からプリント処理時間を減算した時刻である場合に、処理順番変更部５ｋが、自動的に、当該オーダーを優先的にプリント処理させるべく、処理順番を変更する（Ｓ１０）。すなわち、いずれかのオーダーにおいて、ここでは、受付ナンバー「２３」のオーダーにおいて、プリント終了予定時刻と顧客引き渡し時間が同一になる予定の時刻に、受付ナンバー「２３」のオーダーを受付ナンバー「２２」のオーダーの前に割り込ませてプリント処理の順番を変更する。
【００７７】
次いで、プリント処理指令部５ｍは、受付ナンバー「２３」のオーダーをプリント処理するために、画像処理基板９、プリント処理部に指令を行う（Ｓ１１）。この指令に応じて、画像処理基板９は、受付ナンバー「２３」のオーダーのオーダーデータをスプーラ６ａから取得し、所定の画像処理を実行してプリント画像データを作成し、露光エンジン１２に送信する。露光エンジンは１２は、プリント画像データに基づいて、プリントサイズにカットされたペーパーに露光処理し、次いで、現像・乾燥処理がなされ写真プリントが作成されて、装置外に排出される（Ｓ５）。オーダーの全ての写真プリントの作成終了時刻は、顧客引渡し時間と同一となり、顧客に写真プリントを引き渡せることができる。
【００７８】
なお、ステップＳ９において、写真プリントの梱包等を考慮すれば、監視手段５ｈは、現在時刻が顧客引渡し時間からプリント処理時間を減算した時刻よりも１〜２分早い時刻か否かを判定し（プリント終了予定時刻が顧客引き渡し時間より１〜２分早くなる時刻を判定し）、処理順番変更部５ｋが、オーダーの割り込み処理をして、プリント処理の順番を変更するように構成するようにしてもよい。
【００７９】
なお、受付ナンバー「２３」のプリント処理が終了したら、プリント処理が停止するので、登録されているプリント待ちのオーダーについては、「プリントスタート」を指示する必要がある。
【００８０】
以上の実施形態において、監視手段５ｈは、各オーダーの猶予期間と余裕時間の合計値が８分以下であるか否かを判定するように構成したが、特にこれに限定されず、例えば、監視手段５ｈは、猶予期間が８分以下であるか否かを判定するように構成してもよい。また、設定値として、「８分以下」に限定するものではなく、例えば、顧客引渡し時間を遵守する目的を達成するものであれば、適宜設定可能である。
【００８１】
さらに、図７に示したように警告情報をオーダー管理画面にポップアップさせるように構成したが、特にこれに限定されず、他の操作画面上に警告情報を表示するようにしてもよい。また、図７に警告表示のみをモニターに表示させたが、これに限定されず、図９に示したように「プリントスタート」ボタンを表示し、このボタンをクリックしてプリントスタートさせるように構成することもできる。かかる場合には、専用キーの「プリントスタート」キーを押下する必要がなく、オペレータは、警告表示に従って、「プリントスタート」ボタンをクリックしプリント処理を簡単に行える。
【００８２】
また、本実施形態において、監視手段５ｈが、各オーダーごとに、現在時刻が、顧客引渡し時間からプリント処理時間を減算した時刻か否かを判定し、その判定結果が、現在時刻が顧客引渡し時間からプリント処理時間を減算した時刻である場合に、処理順番変更部５ｋが、自動的に、当該オーダーを優先的にプリント処理させるべく、処理順番を変更するように構成していたが、特にこれに限定されず、監視手段５ｈが、各オーダーごとに、現在時刻が、顧客引渡し時間からプリント処理時間を減算した時刻（又はその時刻から数分早い時刻）か否かを判定し、その判定結果が、任意のオーダーにおいて、現在時刻が顧客引渡し時間からプリント処理時間を減算した時刻（又はその時刻から数分早い時刻）である場合であって、さらに、当該任意のオーダーの優先度が、割り込まれることによってそのオーダーよりも後に処理されるオーダーの優先度よりも高いか否かを判定し、その判定結果が、当該任意のオーダーの優先度が高い場合に、処理順番変更部５ｋが、当該任意のオーダーを先に優先的にプリント処理させるべく、処理順番を変更するように構成してもよい。
【００８３】
また、本実施形態において、顧客引渡し時間が近づいているオーダーとして受付ナンバー「２３」のオーダーのみが判定されていたが、特にこれに限定されず、顧客引渡し時間が近づいているオーダーとしては、複数のオーダーが判定されることもあることはいうまでもない。
【００８４】
＜別実施形態その１＞
自動プリント開始モードにおいて、急ぎのオーダーを受け付けた場合について以下に説明する。自動プリント開始モードにおいて、登録されたオーダーは、登録された処理順番に従って自動的にプリント処理が実行される。しかし、急ぎのオーダーを受けつけた場合や、既に登録済みでも顧客からの依頼で急いでプリントしなければならない場合がある。
【００８５】
このような場合に、手動順序設定部５ｆの機能を用いて、登録済みのオーダーのプリント順序を任意に変更することで対応することができる。例えば、今、受付ナンバー「２１」のオーダーがプリント処理中であるとする。そして、受付ナンバー「２５」のオーダーをダブルクリックして選択し、そのままドラックして、プリント待ち状態では最上位の受付ナンバー「２２」の前に移動させる。かかる場合、受付ナンバー「２５」のオーダーが割り込まれることにより、受付ナンバー「２２」以降のオーダーの仕上がり予想時間が新たに算出され、算出された新たな仕上がり予想時間が表示される。
【００８６】
そして、監視手段５ｈは、ステップＳ１の処理を実行しているため、受付ナンバー「２２」以降のオーダーの仕上がり予想時間が変更されたことにより、当該オーダーのプリント開始予定時刻、仕上がり予想時間を更新し、顧客引渡し時間に近づいているオーダーがあるか否かを判定する（ステップＳ２参照）。そして、顧客引渡し時間に近づいているオーダーが存在する場合に、警告表示手段５ｉによる警告表示が実行される（ステップＳ３参照）。以下、同様の処理ステップＳ４〜Ｓ１１が実行される。
【００８７】
＜別実施形態その２＞
上述の別実施形態その１においては、手動順序設定部５ｆの機能を用いて、プリント処理順番を変更した実施形態を説明した。以下では、任意のオーダーがプリント処理中に、顧客引渡し時間が近づいたオーダーが発生した場合について図１０のフローチャートを用いて説明する。
【００８８】
オーダーＡがプリント処理中である（Ｓ２０）。監視手段５ｈは、各オーダーを監視している（図５、Ｓ１参照）。このオーダーＡのプリント処理が仕上がり予想時間を超えても終了しない場合に、プリント待ち状態のオーダー中に、顧客引渡し時間が近づいているオーダーが発生してくる（図５、Ｓ２参照）。顧客引き渡し時間が近づいているオーダー（オーダーＢ）がある場合に、警告表示がなされ（図５、Ｓ３参照）、一定期間、応答がなければ、警告音が出力される（図５、ステップＳ７参照）。
【００８９】
監視手段５ｈは、現在時刻が、オーダーＢの顧客引渡し時間からオーダーＢのプリント処理時間（又は仕上がり予想時間）を減算した時刻と同一か否かを判定する（Ｓ２１）。
【００９０】
現在時刻が、オーダーＢの顧客引渡し時間からオーダーＢのプリント処理時間（又は仕上がり予想時間）を減算した時刻と同一の場合に、監視手段５ｈは、オーダーＡのプリント処理を中断して、オーダーＢのプリント処理を割り込み処理し、その後にオーダーＡのプリント処理を再開しても、オーダーＡの顧客引渡し時間を遵守できるか否かを判定する（Ｓ２２）。具体的判定方法は、例えば、オーダーＡの猶予期間及び余裕時間の合計値が、オーダーＢのプリント処理時間（１０分間、余裕時間を含まない）及びオーダー切り替え時間（数分）の合計値よりも大きいか否かを判定する。
【００９１】
オーダーＡの顧客引渡し時間を遵守できる場合、監視手段５ｈは、オーダーＢの優先度が、オーダーＡの優先度よりも高いか否かを判定する（Ｓ２３）。オーダーＡの優先度がオーダーＢより高い、又は同じであれば、オーダーＡのプリント処理を中断する必要がない。
【００９２】
オーダーＢの優先度がオーダーＡのそれより高いと判定された場合、オーダーＡのプリント処理を中断する（Ｓ２４）。そして、処理順番変更部５ｋは、オーダーＡの前に割り込ませるようにオーダーＢの処理順番を変更する（Ｓ２５）。オーダーＡの状態は、「中断中」になる（不図示）。そして、プリント処理指令部５ｍは、オーダーＢのプリント処理を実行するように、画像処理基板９、プリント処理部に指令する（Ｓ２６）。これにより、オーダーＢのプリント処理が実行され、オーダーＢの顧客引渡し時間に間に合うように処理が完了する。
【００９３】
オーダーＢのプリント処理が終了すると、プリント処理指令部５ｍは、オーダーＡのプリント処理を再開するように、画像処理基板９、プリント処理部に指令する（Ｓ２６）。オーダーＡの状態は、「プリント中」になる（不図示）。これにより、オーダーＡのプリント処理が再開され（Ｓ２０）、オーダーＡの顧客引渡し時間に間に合うように処理が完了する。
【００９４】
＜別実施形態その３＞
任意のオーダーのプリント処理中に、顧客が希望する顧客引渡し時間が入力された新規オーダーを登録する場合について以下に説明する。
【００９５】
今、オーダーＡ（図１１、受付ナンバー「２２」）がプリント処理中の場合に、新規オーダーＢ（図１１受付ナンバー「２３」）のオーダー受け付けがあるとする。図１１に示すように、受付開始から受付完了前までの状態欄の表示は「受付中」となっている。この新規オーダーＢの顧客引渡し時間として、顧客から要望された時刻（９：２０）が入力され、高優先度設定されているものとする。オーダーＢの仕上がり予想時間は、顧客引渡し時間（９：２０）から猶予期間（高優先度なので１０分に設定）を減算した時刻（９：１０）である。また、プリント枚数とプリントサイズからプリント処理時間（１０分）が算出され、余裕時間が１０分（高優先度設定）とすれば、プリント開始予定時刻は、仕上がり予想時間からプリント処理時間及び余裕時間を減算した時刻（８：５０）である。
【００９６】
すなわち、オーダーＢは、顧客要望の顧客引渡し時間を考慮して算出すれば、仕上がり予想時間は（９：１０）、プリント開始予定時刻は（８：５０）である。監視手段５ｈは、プリント開始予定時刻（８：５０）が、オーダーＡの仕上がり予想時間より大幅に早い時刻であるので、顧客の要望する引渡し時刻（９：２０）が遵守できない状況であると判定する。かかる場合に、警告表示手段５ｉは、警告情報（例えば、「顧客引渡し時間に間に合いません。」）を表示する。オペレータが一定期間内に何の対応もしない場合に、警告音出力手段５ｊによって、警告音が出力される。
【００９７】
このような状況において、監視手段５ｈは、オーダーＢの顧客引渡し時間（顧客が要望する時刻「９：２０」）を遵守することができるか否かを判定する。具体的には、監視手段５ｈは、オーダーＡのプリント処理を中断して、オーダーＢのプリント処理を割り込み処理し、その後にオーダーＡのプリント処理を再開しても、オーダーＡの顧客引渡し時間を遵守できるか否かを判定する（図１０、Ｓ２２参照）。
【００９８】
そして、オーダーＡの顧客引渡し時間を遵守できる場合、監視手段５ｈは、オーダーＢの優先度が、オーダーＡの優先度よりも高いか否かを判定し（図１０、Ｓ２３参照）、オーダーＢの優先度が高い場合に、オーダーＡのプリント処理を中断し（図１０、Ｓ２４参照）、オーダーＢのプリント処理を実行する（図１０、Ｓ２５、Ｓ２６参照）。そして、オーダーＢのプリント処理が終了したら、オーダーＡのプリント処理を再開する（図１０、Ｓ２７参照）。
【図面の簡単な説明】
【００９９】
【図１】写真処理システムの構成を示す概念図
【図２】写真処理装置の機能を示すブロック図
【図３】オーダー管理画面の構成例を示す図
【図４】オーダー管理の設定画面の構成例を示す図
【図５】オーダー処理順番変更の手順を示すフローチャート
【図６】プリント処理状況のデータ管理例の示す図
【図７】警告表示の表示例を示す図
【図８】警告音出力の表示例を示す図
【図９】警告表示の表示例を示す図
【図１０】オーダー処理順番変更の手順を示すフローチャート
【図１１】オーダー管理画面の構成例を示す図
【符号の説明】
【０１００】
４        画像判定部
５        オーダー制御部
５ａ      オーダー登録部
５ｂ      プリント処理制御部
５ｃ      オーダーデータ削除部
５ｄ      優先度設定部
５ｅ      プリント順序設定部
５ｆ      手動順序設定部
５ｇ      処理時間設定部
５ｈ      監視手段
５ｉ      警告表示手段
５ｊ      警告音出力手段
５ｋ      処理順番変更部
５ｍ      プリント処理指令部
６        記憶装置
６ａ      スプーラ
６ｂ      記憶部
１００    写真処理装置
【図１】
2007114929.tif 000003
【図２】
2007114929.tif 000004
【図３】
2007114929.tif 000005
【図４】
2007114929.tif 000006
【図５】
2007114929.tif 000007
【図６】
2007114929.tif 000008
【図７】
2007114929.tif 000009
【図８】
2007114929.tif 000010
【図９】
2007114929.tif 000011
【図１０】
2007114929.tif 000012
【図１１】
2007114929.tif 000013